(57)【要約】【課題】セルフタイマー撮影を行うと同時に赤目プリ発光撮影を行なう場合、二重に発光を行っているため、メインコンデンサに蓄積したエネルギーの消費も大きくなり通常のストロボ撮影時に必要なエネルギーが足りなくなる恐れがあった。【解決手段】被写体に閃光を発光するストロボ装置を有し、このストロボ装置の微小発光によりセルフタイマーの撮影タイミングを知らせる機能を備えた撮影装置において、セルフタイマー撮影時に被写体の赤目現象を緩和する赤目プリ発光撮影を行う場合は、セルフタイマーの撮影タイミングを知らせる微小発光を行わずに赤目プリ発光によりセルフタイマーの撮影タイミングを知らせるようにする。【選択図】  図２
2004240000.tif 000002
【特許請求の範囲】
【請求項１】
被写体に閃光を発光するストロボ装置を有し、このストロボ装置の微小発光によりセルフタイマーの撮影タイミングを知らせる機能を備えた撮影装置において、
セルフタイマー撮影時に被写体の赤目現象を緩和する赤目プリ発光撮影を行う場合は、セルフタイマーの撮影タイミングを知らせる微小発光を行わずに赤目プリ発光によりセルフタイマーの撮影タイミングを知らせることを特徴とする撮影装置。
【請求項２】
セルフタイマーの撮影タイミングを知らせる微小発光でのメインコンデンサの消費エネルギーと赤目プリ発光でのメインコンデンサの消費エネルギーとを同等にしたことを特徴とする請求項１記載の撮影装置。
【請求項３】
セルフタイマーの撮影タイミングを知らせる微小発光の発光パターンと赤目プリ発光の発光パターンとを同一にしたことを特徴とする請求項１記載の撮影装置。
【発明の詳細な説明】
【０００１】
【発明の属する技術分野】
本発明は、セルフタイマーの撮影タイミングを知らせる手段としてストロボ装置を用いるデジタルカメラ等の撮影装置に関する。
【０００２】
【従来の技術】
従来、セルフタイマー撮影時に撮影タイミングを知らせる方法としては、ストロボ装置を用いて撮影前に複数回の微小発光を行なう方法がある（特許文献１および特許文献２参照。）。このストロボ装置の微小発光によりセルフタイマーの撮影タイミングを知らせる機能は、撮影直前にストロボ装置を微小発光させて被写体に対して注意を喚起することで被写体が撮影タイミングを知ることができる。また、同様な機能として、被写体の赤目現象を緩和する赤目プリ発光撮影がある。
この赤目プリ発光撮影では、ストロボ撮影直前に赤目プリ発光を行ない被写体人物の瞳孔を絞らせた後にストロボ撮影を行っている。
【０００３】
【特許文献１】
特開平０５−１８８４４３号公報
【特許文献２】
特開２００１−０１３５７０号公報
【０００４】
【発明が解決しようとする課題】
しかしながら、セルフタイマー撮影を行うと同時に赤目プリ発光撮影を行なう場合、上記の両機能はともに撮影直前に行われる。すなわち、セルフタイマー時の撮影タイミングを知らせる微小発光をした後赤目プリ発光をして通常のストロボ撮影をするか、あるいは赤目プリ発光をした後セルフタイマー時の撮影タイミングを知らせる微小発光をして通常のストロボ撮影をするかいずれかであり、ともに同じような動作を二重に行うことになる。その結果、二重に発光を行っているため、メインコンデンサに蓄積したエネルギーの消費も大きくなり通常のストロボ撮影時に必要なエネルギーが足りなくなる恐れがある。そこで本発明では上記のように同様な動作を二重に行うことを避け、メインコンデンサのエネルギーを必要以上に消費することを抑えることを目的とする。
【０００５】
【課題を解決するための手段】
上記課題を解決するために、請求項１の発明に係る撮影装置は、被写体に閃光を発光するストロボ装置を有し、このストロボ装置の微小発光によりセルフタイマーの撮影タイミングを知らせる機能を備えたものにおいて、セルフタイマー撮影時に被写体の赤目現象を緩和する赤目プリ発光撮影を行う場合は、セルフタイマーの撮影タイミングを知らせる微小発光を行わずに赤目プリ発光によりセルフタイマーの撮影タイミングを知らせることを特徴とする。
【０００６】
請求項２の発明に係る撮影装置は、セルフタイマーの撮影タイミングを知らせる微小発光でのメインコンデンサの消費エネルギーと赤目プリ発光でのメインコンデンサの消費エネルギーとを同等にしたことを特徴とする。
【０００７】
請求項３の発明に係る撮影装置は、セルフタイマーの撮影タイミングを知らせる微小発光の発光パターンと赤目プリ発光の発光パターンとを同一にしたことを特徴とする。
【０００８】
【発明の実施の形態】
以下、本発明の実施形態を説明する。
図１は本発明が適用されるデジタルカメラの一般的なブロック図を示す。デジタルカメラは、カメラ操作部１、ストロボ装置２、記録部３、表示部４、データ部５等により構成される。
【０００９】
図２はセルフタイマー撮影時の動作を示すフローチャートである。通常、セルフタイマー撮影はセルフタイマーモードに設定された後レリーズスイッチが押された時点から例えば１０秒後にシャッタが切られて撮影が行われる。レリーズが押されて撮影までの１０秒間経過中は被写体人物には撮影タイミングがわかりにくいため、一般的にはＬＥＤなどの表示装置を点滅させて撮影タイミングを知らせる方法が用いられている。そこで、本発明に係るデジタルカメラでは、ＬＥＤなどの表示装置を別途設けることなくストロボ撮影で使用するストロボ装置を用いてセルフタイマー時の撮影タイミングを被写体人物に知らせるとともに、同時に赤目プリ発光撮影を行うようにしたものである。
【００１０】
すなわち、ユーザーによりセルフタイマーモードに設定されると（ステップＳ１）、撮影モードが赤目プリ発光ストロボ撮影モードであるかを判断する（ステップＳ２）。ここで撮影モードが被写体の赤目現象を緩和する赤目プリ発光ストロボ撮影モードである場合は（ステップＳ２でＹＥＳ）、セルフタイマー撮影を行うためにユーザーがレリーズスイッチを押すと（ステップＳ３）、セルフタイマーのカウントが開始され（ステップＳ４）、ここで被写体人物にセルフタイマーの撮影タイミングを知らせるためのストロボ微小発光は行わず、撮影直前にそのまま赤目プリ発光を行ない（ステップＳ５）、赤目プリ発光によってセルフタイマーの撮影タイミングを知らせた後、撮影する（ステップＳ６）。
【００１１】
また、撮影モードが赤目プリ発光ストロボ撮影モードでない場合は（ステップＳ２でＮＯ）、セルフタイマー撮影を行うためにユーザーがレリーズスイッチを押すと（ステップＳ７）、セルフタイマーのカウントが開始され（ステップＳ８）、ここで被写体人物にセルフタイマーの撮影タイミングを知らせるためのストロボ微小発光を行ない（ステップＳ９）、セルフタイマーの撮影タイミングを知らせた後、撮影する（ステップＳ１０）。
【００１２】
また、請求項２では、セルフタイマーの撮影タイミングを知らせる微小発光と赤目プリ発光でのメインコンデンサの消費エネルギーを同等にして、本撮影であるストロボ撮影の制御を赤目プリ発光撮影モードでも通常のストロボ撮影モードでも同じ制御にしている。
【００１３】
さらに、請求項３では、セルフタイマーの撮影タイミングを知らせる微小発光と赤目プリ発光の発光パターンを同一のパターンにして、本撮影であるストロボ撮影の制御を赤目プリ発光撮影モードでも通常のストロボ撮影モードでも同じ制御にしている。
【００１４】
【発明の効果】
以上述べたように請求項１の撮影装置においては、セルフタイマー撮影時に被写体の赤目現象を緩和する赤目プリ発光撮影を行う場合、セルフタイマーの撮影タイミングを知らせる微小発光を行わずに、赤目プリ発光によりセルフタイマーの撮影タイミングを知らせているので、セルフタイマー用の微小発光と赤目プリ発光を二重に行うことが避けられ、必要以上のメインコンデンサのエネルギーの消費を抑えることができる。
【００１５】
請求項２の撮影装置においては、セルフタイマーの撮影タイミングを知らせる微小発光と赤目プリ発光のメインコンデンサの消費エネルギーを同等にしているので、セルフタイマーの撮影タイミングを知らせる微小発光をした後と赤目プリ発光をした後のメインコンデンサの残エネルギーは同じになり、それぞれの後のストロボ撮影制御を別々にすることなく同一にでき制御が簡潔になる。
【００１６】
請求項３の撮影装置においては、セルフタイマーの撮影タイミングを知らせる微小発光と赤目プリ発光の発光パターンを同一にしているので、セルフタイマー撮影と赤目プリ発光撮影を別々にすることなく同一にでき制御が簡潔になる。
【図面の簡単な説明】
【図１】本発明が適用されるデジタルカメラの一般的なブロック図を示す。
【図２】セルフタイマー撮影時の動作を示すフローチャートである。
【符号の説明】
１  カメラ操作部
２  ストロボ装置
３  記録部
４  表示部
５  データ部
【図１】
2004240000.tif 000003
【図２】
2004240000.tif 000004